(57)【要約】【課題】情報光像の周囲に装飾光像を表示する車両用表示装置において、それら光像表示の立体感を向上させる。【解決手段】光源光を後方から受けて透過照明されることにより、表示情報を情報光像として前方から視認可能に発光表示する情報表示部５１と、情報表示部５１の後方に隠れて設けられ、光源光を前方から受けて透過照明されることにより、装飾光像を発光形成する装飾形成部５３と、装飾形成部５３の後方から外周側に広がって設けられ、装飾形成部５３から装飾光像が投影されることにより、当該装飾光像の虚像を情報光像の周囲にて前方から視認可能に発光表示する装飾表示部３０とを、設ける。【選択図】図３
2014224757.tif 000002
【特許請求の範囲】
【請求項１】
光源光を後方から受けて透過照明されることにより、表示情報を情報光像として前方から視認可能に発光表示する情報表示部（５１）と、
前記情報表示部の後方に隠れて設けられ、光源光を前方から受けて透過照明されることにより、装飾光像を発光形成する装飾形成部（５３）と、
前記装飾形成部の後方から外周側に広がって設けられ、前記装飾形成部から前記装飾光像が投影されることにより、当該装飾光像の虚像を前記情報光像の周囲にて前方から視認可能に発光表示する装飾表示部（３０）とを、備えることを特徴とする車両用表示装置。
【請求項２】
前記装飾表示部は、
前記装飾形成部から投影される前記装飾光像を反射する反射層（３１）を、
少なくとも前記装飾光像の投影箇所に有することを特徴とする請求項１に記載の車両用表示装置。
【請求項３】
前記装飾表示部は、
光源光を後方から受けて透過照明されることにより、表示情報を前記情報表示部とは別の情報光像として表示する情報表示領域（３４）を、
前記装飾光像の投影箇所よりも外周側に有することを特徴とする請求項１又は２に記載の車両用表示装置。
【請求項４】
前記情報表示部の表示する前記情報光像の発光色と、前記装飾表示部の表示する前記装飾光像の虚像の発光色とは、互いに異なることを特徴とする請求項１〜３のいずれか一項に記載の車両用表示装置。
【請求項５】
光源光を放射させる共通光源（４３）と、
前記情報表示部及び前記装飾形成部を有し、前記装飾表示部から前方に離間して位置する浮島表示体（５）と、
前記浮島表示体の外部後方から内部に挿入される透光体（７，２０７）とを、備え、
前記透光体は、
前記共通光源から光源光を導光する共通導光部（７１，２７１）と、
前記共通導光部により導光された光源光を前方の前記情報表示部に向かって出射する第一出射部（７８，２７８）と、
前記共通導光部により導光された光源光を後方の前記装飾形成部に向かって出射する第二出射部（７９，２７９）とを、有することを特徴とする請求項１〜４のいずれか一項に記載の車両用表示装置。
【請求項６】
前記第一出射部から出射される光源光の光束密度は、前記第二出射部から出射される光源光の光束密度よりも高いことを特徴とする請求項５に記載の車両用表示装置。
【発明の詳細な説明】
【技術分野】
【０００１】
本発明は、情報を表示する車両用表示装置に関する。
【背景技術】
【０００２】
従来、情報表示部が光源光を後方から受けて透過照明されることにより、車両情報等の表示情報が情報光像として前方から視認可能に発光表示される車両用表示装置は、一般に広く利用されている。
【０００３】
こうした車両用表示装置の一種として特許文献１に開示の装置では、装飾表示部が光源光を後方から受けて透過照明されることにより、装飾光像が情報光像の周囲に前方から視認可能に発光表示される。ここで装飾表示部は、情報表示部の外周側を囲み且つ情報表示部よりも前方に延びているので、装飾光像の内周側後方にて情報光像を奥行きをもって表示させることで、それら光像表示に立体感を与えることが可能となっている。
【先行技術文献】
【特許文献】
【０００４】
【特許文献１】特開平９−２８７９８０号公報
【発明の概要】
【発明が解決しようとする課題】
【０００５】
さて、特許文献１の開示装置において表示される情報光像及び装飾光像はいずれも、前方から半透過パネルを通じて視認される実像であるため、それら光像の遠近差は、情報表示部と装飾表示部との距離差に実質一致する。情報表示部と装飾表示部との距離差は、車両用表示装置の前後サイズに応じて制限されるため、情報光像と装飾光像とに大きな遠近差を与えて、それら光像表示の立体感を高めることは難しい。
【０００６】
本発明は、以上説明した問題に鑑みてなされたものであって、その目的は、情報光像の周囲に装飾光像を表示する車両用表示装置において、それら光像表示の立体感を向上させることにある。
【課題を解決するための手段】
【０００７】
本発明は、光源光を後方から受けて透過照明されることにより、表示情報を情報光像として前方から視認可能に発光表示する情報表示部（５１）と、情報表示部の後方に隠れて設けられ、光源光を前方から受けて透過照明されることにより、装飾光像を発光形成する装飾形成部（５３）と、装飾形成部の後方から外周側に広がって設けられ、装飾形成部から装飾光像が投影されることにより、当該装飾光像の虚像を情報光像の周囲にて前方から視認可能に発光表示する装飾表示部（３０）とを、備えることを特徴とする。
【０００８】
かかる本発明によると、情報表示部が後方からの光源光により透過照明されて発光表示する表示情報としての情報光像は、前方からは実像として視認される。一方、情報表示部後方に隠れる装飾形成部が前方からの光源光により透過照明されて発光形成する装飾光像は、装飾形成部の後方から外周側に広がる装飾表示部に投影されて、表示情報の周囲に発光表示されることで、前方からは虚像として視認される。こうしたことから、情報光像とその外周側後方に奥行きをもって表示される装飾光像との遠近差は、車両用表示装置の前後サイズに応じた制限を受ける情報表示部と装飾表示部との距離差よりも、可及的に大きくすることができる。したがって、情報光像と装飾光像とに大きな遠近差を与えて、それら光像表示の立体感を向上させることが可能である。
【０００９】
ここで、本発明のさらなる特徴として装飾表示部は、光源光を後方から受けて透過照明されることにより、表示情報を情報表示部とは別の情報光像として表示する情報表示領域（３４）を、装飾光像の投影箇所よりも外周側に有する。
【００１０】
かかる特徴によると、装飾表示部のうち装飾光像の投影箇所よりも外周側では、光源光を後方から受けて透過照明される情報表示領域においても、表示情報を情報表示部とは別の情報光像として表示することができる。これによれば、虚像表示される装飾光像の内周側前方と外周側前方とにて、各別の情報光像が当該装飾光像との遠近差をもって実像表示されることになるので、それら光像表示の立体感が増す。即ち、立体感の向上に貢献可能となる。
【図面の簡単な説明】
【００１１】
【図１】本発明の第一実施形態によるコンビネーションメータの正面図である。
【図２】本発明の第一実施形態によるコンビネーションメータの機械的構成を示す図であって、図１のII−II線断面図である。
【図３】本発明の第一実施形態によるコンビネーションメータの機械的構成を示す図であって、図１のIII−III線断面図である。
【図４】本発明の第一実施形態によるコンビネーションメータの特徴部分を説明するための拡大図である。
【図５】本発明の第一実施形態によるコンビネーションメータの分解斜視図である。
【図６】本発明の第一実施形態によるコンビネーションメータの電気的構成を示すブロック図である。
【図７】本発明の第二実施形態によるコンビネーションメータの機械的構成を示す図であって、図４に対応する断面図である。
【発明を実施するための形態】
【００１２】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１３】
（第一実施形態）
図１に示すように、本発明の第一実施形態による車両用表示装置１（以下、単に「装置１」という）は、車両内のインストルメントパネルに設置されるコンビネーションメータである。装置１は、表示情報として種々の車両情報を表示するものであり、本実施形態では特に、車両情報としての車速をスピードメータ１０により表示する。図１〜３に示すように装置１は、筐体８、電気ユニット４、外周表示体３、浮島表示体５、指針２、透光体７及びカバー体６を備えている。尚、装置１における前方とは、車両の車室内にて座席上の乗員に情報を表示する表示方向を示す。また一方、車両用表示装置１における後方とは、座席上の乗員に対する表示方向とは反対方向を示す。
【００１４】
図２，３に示すように筐体８は、フロントカバー８１、フロントケース８３、リヤケース８５及びリヤカバー８７等を互いに組み付けることによって、中空箱状に形成されている。筐体８は、装置１の他の構成要素２，３，４，５，６，７を内部に収容することで、雰囲気中の塵や埃等からこれら要素を保護している。
【００１５】
図３，６に示すように電気ユニット４は、回路基板４０、指針光源４１、外周表示光源４２、共通光源４３、駆動源４４及びメータ制御回路４６等から構成されている。
【００１６】
回路基板４０は、平板状に形成されたガラスエポキシ基板等のプリント基板である。回路基板４０は、要素２，３，５，６，７の後方に配置されている。
【００１７】
図３に示すように光源４１，４２，４３は、それぞれ複数ずつの発光ダイオード等からなり、回路基板４０の前方表面に実装されている。指針光源４１は、指針２を照明するために通電されることで、例えば赤色光を光源光として放射する。外周表示光源４２は、外周表示体３を照明するために通電されることで、例えば白色光を光源光として放射する。共通光源４３は、透光体７を通して浮島表示体５及び外周表示体３をそれぞれ照明するために通電されることで、例えば白色光を光源光として放射する。
【００１８】
駆動源４４は、回転出力を発生可能なステップモータ等から構成され、回路基板４０の後方裏面に実装されている。駆動源４４は、通電により回転出力を発生することで、指針２０を回転駆動する。
【００１９】
メータ制御回路４６は、コンピュータプログラムに基づいて作動するマイクロコンピュータ等から構成され、回路基板４０の後方裏面に実装されている。図６に示すようにメータ制御回路４６には、車内ＬＡＮ９１、外部のバッテリ９５及びイグニッションリレー９４等が電気接続されている。ここで、車内ＬＡＮ９１上に設けられる電力供給制御回路９２は、車両乗員によるイグニッションスイッチ９３のオン操作を検知して、イグニッションリレー９４に電圧を印加し、当該リレー９４を通電状態にする。その結果としてメータ制御回路４６は、イグニッションリレー９４を通じてバッテリ９５から電力が供給されることで、車内ＬＡＮ９１に出力された車速等の車両情報を取得する。さらにメータ制御回路４６は、光源４１，４２，４３及び駆動源４４にも電気接続されている。バッテリ９５からの電力供給下にてメータ制御回路４６は、光源４１，４２，４３及び駆動源４４への通電（例えば電流値）を、取得した車両情報に基づき制御する。
【００２０】
図２，３に示すように外周表示体３は、装飾表示部３０及び外周導光部３３を有している。
【００２１】
装飾表示部３０は、反射プレート３１及び表示シート３２等から構成されている。反射プレート３１及び表示シート３２はそれぞれ、透光性樹脂によって円環板状に形成され、外周側に向かうほど前方に湾曲している。反射層としての反射プレート３１は、例えばアクリル樹脂の採用、あるいは樹脂基材に対するアルミニウム蒸着の採用により、前方表面での反射に関してグロス値が高められている。反射プレート３１の後方に重ねて設けられる表示シート３２には、車速を表す指標（例えば図１の如き数字）が形成されることで、スピードメータ１０の一部をなす情報表示領域３４が装飾表示部３０の外周縁部に設けられている。また、装飾表示部３０には、後に詳述する投影領域３５が情報表示領域３４の内周側に形成されている。
【００２２】
外周導光部３３は、透光性樹脂によって円環板状に形成され、外周側ほど前方に向かって湾曲している。外周導光部３３は、装飾表示部３０の後方に離間して同軸上に配置、且つ外周表示光源４２の前方に対向して配置されている。かかる配置形態により外周導光部３３は、外周表示光源４２から放射された光源光を導光して、装飾表示部３０に入射させる。こうして後方の外周導光部３３から光源光を受ける装飾表示部３０では、当該光源光が表示シート３２及び反射プレート３１を順次透過することで、情報表示領域３４が照明される。その結果、投影領域３５の外周側における情報表示領域３４が情報光像として、前方から視認可能に発光表示される。
【００２３】
図１〜３に示すように浮島表示体５は、全体として装飾表示部３０より小径の中空円盤状に形成され、装飾表示部３０から前方に離間して同軸上に配置されている。図４，５に示すように中央表示プレート５０、フィルタプレート５２及び固定リング５６等から構成される浮島表示体５は、装飾表示部３０がフィルタプレート５２の後方から外周側へと広がる位置関係となるように、設けられている。
【００２４】
図中央表示プレート５０は、透光性樹脂によって円板状に形成され、外周縁部よりも中央部を前方に向かって突出させている。中央表示プレート５０は、外周側に向かうほど後方に傾斜する情報表示部５１を、外周縁部と中央部との間に有している。図１〜３に示すようにスピードメータ１０の一部をなす情報表示部５１には、情報表示領域３４とは異なる単位系にて車速を表す指標（例えば図１の如き数字）が、形成されている。
【００２５】
図４，５に示すようにフィルタプレート５２は、中央表示プレート５０の後方に配置されている。フィルタプレート５２は、例えば二種類の樹脂を材料とした二工程の多層成形によって形成されることで、装飾形成部５３、中央接続部５４及び外周リング部５５を同軸上に有している。尚、例示の多層成形では、まず透光性樹脂によって装飾形成部５３が成形された後に、遮光性樹脂によって中央接続部５４及び外周リング部５５が装飾形成部５３と一体的に成形される。こうした多層成形によれば、透光体７及び中央表示プレート５０の保持（後に詳述）に要する強度及び剛性を高めると共に、装飾形成部５３を通した発光色（後に詳述）の設定変更における自由度を、高めることが可能となる。
【００２６】
装飾形成部５３は、外周側に向かうほど前方に傾斜する円環板状に、形成されている。装飾形成部５３は、情報表示部５１を含む中央表示プレート５０の後方に隠れて配置されることで、前方からは実質的に視認不能となっている。装飾形成部５３において前方表面及び後方裏面のいずれか一方には、透過する光源光の色を例えば白色から青色に変更する着色層（図示しない）が設けられている。中央接続部５４は、装飾形成部５３の内周側に円環板状に形成されている。中央接続部５４において周方向に等間隔をあけた箇所には、複数の嵌合孔５４ａが貫通している。外周リング部５５は、装飾形成部５３の外周側に円環板状に形成されている。
【００２７】
固定リング５６は、遮光性樹脂によって円環板状に形成され、中央表示プレート５０及びフィルタプレート５２と同軸上に配置されている。固定リング５６は、中央表示プレート５０のうち外周縁部の前方に重ねられた状態で、外周リング部５５に嵌合固定されている。
【００２８】
図１〜３に示すように指針２は、情報表示領域３４の周方向に一体回転可能なポインタ２１及びキャップ２２等から、構成されている。
【００２９】
ポインタ２１は、透光性樹脂によって細長針状に形成され、装飾表示部３０の中央部前方から外周側へ向かって延伸している。図３に示すポインタ２１の基端部は、装飾表示部３０の中央部前方において後方の指針光源４１から光源光が入射可能な位置に、配置されている。キャップ２２は、遮光性樹脂によって円形カップ状に形成され、浮島表示体５の後方に隠れて配置され、ポインタ２１の基端部を覆っている。指針２は、指針光源４１からポインタ２１の基端部に入射された光源光を前方へ向かって透過させることで、当該ポインタ２１を前方から視認可能に発光させる。図１に示すように、こうして発光したポインタ２１の先端部と中間部とにより、それぞれ情報表示領域３４の指標と情報表示部５１の指標とが指示されることで、指針２の回転位置に応じた車速が二種類の単位系にて表示される。
【００３０】
図２〜５に示すように透光体７は、浮島導光部材７１及びプリズム部材７５等から構成され、浮島表示体５の外部後方から内部に挿入されている。
【００３１】
図３〜５に示すように、共通導光部としての浮島導光部材７１は、透光性樹脂によって形成され、浮島表示体５の内部と外部後方とに跨って配置されている。かかる配置形態により浮島導光部材７１は、装飾表示部３０及び外周導光部３３の内周側を貫通している。浮島導光部材７１には、導光入射部７２、導光本体部７３及び導光出射部７４が設けられている。
【００３２】
図３，５に示すように導光入射部７２は、浮島導光部材７１の後方端部にて湾曲凸面状に形成されている。導光入射部７２は、共通光源４３の前方に対向して配置されている。導光本体部７３は、第一導光部分７３ａ及び第二導光部分７３ｂを有している。第一導光部分７３ａは、導光入射部７２から前方へ向かって平板状に延伸している。図３〜５に示すように第二導光部分７３ｂは、第一導光部分７３ａの前方端部から、さらに前方位置の浮島表示体５内部に向かって湾曲板状乃至は屈曲板状に延伸している。こうした各部分７３ａ，７３ｂの延伸形態により導光本体部７３は、回転する指針２のキャップ２２に対して干渉するのを回避している。導光出射部７４は、浮島導光部材７１の前方端部にて平坦面状に形成され、浮島表示体５の内部空間に同軸上に露出している。以上の構成により浮島導光部材７１は、共通光源４３から放射されて導光入射部７２へと入射した光源光を、導光本体部７３により導光して、導光出射部７４から前方に出射させる。
【００３３】
図４，５に示すようにプリズム部材７５は、透光性樹脂によって円板状に形成され、浮島表示体５の内部にて中央表示プレート５０及びフィルタプレート５２の間に同軸上に収容されている。プリズム部材７５の外縁部は、その前方に重ねられた中央表示プレート５０の外周縁部と共に、固定リング５６及び外周リング部５５の間に挟持されている。プリズム部材７５には、プリズム入射部７６、プリズム反射部７７、第一出射部７８及び第二出射部７９が設けられている。
【００３４】
図４，５に示すようにプリズム入射部７６は、プリズム部材７５の後方裏面のうち中央部に平坦面状に形成されている。プリズム入射部７６は、導光出射部７４の前方に配置されることで、プリズム部材７５の中央部にて当該出射部７４と対向している。プリズム反射部７７は、プリズム部材７５の前方表面のうち中央部に円錐凹面状に形成され、外周側に向かうほど前方に傾斜している。第一出射部７８は、プリズム部材７５の前方表面のうちプリズム反射部７７を囲む外周縁部に円錐面状に形成され、外周側に向かうほど後方に傾斜して前方の情報表示部５１と接触している。第二出射部７９は、プリズム部材７５の後方裏面のうちプリズム入射部７６を囲む外周縁部に、平坦面状に形成されて後方の装飾形成部５３と対向している。
【００３５】
以上の構成によりプリズム部材７５は、導光出射部７４から出射されてプリズム入射部７６に入射した光源光を、中央部のプリズム反射部７７により外周側へと略均等に反射して、第一出射部７８及び第二出射部７９から出射する。このとき第一出射部７８は、前方の情報表示部５１に向かって光源光を出射する。こうして後方の第一出射部７８から光源光を受ける情報表示部５１は、当該光源光により透過照明されることで、情報光像として前方から視認可能に発光表示される。また一方、第二出射部７９は、後方の装飾形成部５３に向かって光源光を出射する。こうして前方の第二出射部７９から光源光を受ける装飾形成部５３は、当該光源光により透過照明されることで、装飾光像を形成して装飾表示部３０のうち投影領域３５に投影する（図２，３の網掛け部分参照）。その結果、投影領域３５に投影された装飾光像（図１の網掛け部分参照）は、装飾表示部３０の前方表面にて反射されることで、情報表示部５１の表示する情報光像周囲の虚像として、前方から視認可能に発光表示される。
【００３６】
ここで、第一実施形態において情報表示部５１を透過した光源光の色相は、共通光源４３から放射された光源光の色相と実質同一となる。一方、装飾形成部５３を透過して装飾表示部３０により反射された光源光の色相は、共通光源４３から放射された光源光の色相から変更される。したがって、情報表示部５１の表示する情報光像の発光色と、装飾表示部３０の表示する装飾光像の虚像の発光色とは、互いに異ならされる。また、第一実施形態において第一出射部７８から出射される光源光の光束密度は、第二出射部７９から出射される光源光の光束密度よりも高くなるように、調整されている。
【００３７】
図２〜５に示すようにカバー体６は、カバーブラケット６０、樹脂カバー６１及び締結部材６２等から構成されている。カバーブラケット６０及び樹脂カバー６１は、それぞれ遮光性樹脂によって形成され、浮島導光部材７１のうち主に導光本体部７３の周囲を協働して覆っている。カバーブラケット６０は、図２の如く螺子等の締結部材６２によって、回路基板４０に固定されている。それと共にカバーブラケット６０は、図４の如く一体に有する嵌合ピン６０ａを、例えば耐振動性の高い熱かしめによって嵌合孔５４ａに嵌入させることで、フィルタプレート５２とも固定されている。樹脂カバー６１は、浮島導光部材７１を挟んだ状態で、カバーブラケット６０に組付固定されている。こうした固定形態によりカバーブラケット６０及び樹脂カバー６１は、フィルタプレート５２を介して透光体７及び中央表示プレート５０を保持している。
【００３８】
（作用効果）
以上説明した第一実施形態の作用効果を、以下に説明する。
【００３９】
第一実施形態によると、情報表示部５１が後方からの光源光により透過照明されて発光表示する表示情報としての情報光像は、前方からは実像として視認される。一方、情報表示部５１後方に隠れる装飾形成部５３が前方からの光源光により透過照明されて発光形成する装飾光像は、装飾形成部５３の後方から外周側に広がる装飾表示部３０に投影されて、表示情報の周囲に発光表示されることで、前方からは虚像として視認される。こうしたことから、情報光像とその外周側後方に奥行きをもって表示される装飾光像との遠近差は、装置１の前後サイズに応じた制限を受ける情報表示部５１と装飾表示部３０との距離差よりも、可及的に大きくすることができる。したがって、情報光像と装飾光像とに大きな遠近差を与えて、それら光像表示の立体感を向上させることが可能である。
【００４０】
また、第一実施形態によると、装飾表示部３０における少なくとも装飾光像の投影領域３５では、装飾形成部５３から投影される装飾光像を反射プレート３１により確実に反射されて、当該装飾光像を高輝度にて虚像表示することができる。これによれば、虚像であっても表示輝度の高い装飾光像に対し、その内周側前方に情報光像が浮遊感をもって表示されることで、それら光像の遠近差は顕著に知覚されることになるので、立体感の向上に貢献可能となる。
【００４１】
さらに、第一実施形態によると、装飾表示部３０のうち装飾光像の投影領域３５よりも外周側では、光源光を後方から受けて透過照明される情報表示領域３４においても、表示情報を情報表示部とは別の情報光像として表示することができる。これによれば、虚像表示される装飾光像の内周側前方と外周側前方とにて、各別の情報光像が当該装飾光像との遠近差をもって実像表示されることになるので、それら光像表示の立体感が増す。即ち、立体感の向上に貢献可能となる。
【００４２】
またさらに、第一実施形態によると、装飾表示部３０から前方への離間位置にて情報表示部５１及び装飾形成部５３を有する浮島表示体５の内部には、共通光源４３から放射の光源光を浮島導光部材７１により導光する透光体７が、外部後方から挿入される。こうした透光体７によれば、導光された光源光を第一出射部７８から前方の情報表示部５１に向かって出射すると共に、導光された光源光を第二出射部７９から後方の装飾形成部５３に向かって出射することで、それら各部５１，５３を同時に透過照明することができる。故に、情報表示部５１及び装飾形成部５３を共に発光させる光源４３を共通し得るだけでなく、それら各部５１，５３を有する浮島表示体５の内部に当該共通光源４３を収容させる必要性から解放され得るので、構造の簡素化を図ることが可能となる。
【００４３】
加えて、第一実施形態によると、第一出射部７８から出射される光源光の光束密度は、第二出射部７９から出射される光源光の光束密度よりも高いので、情報表示部５１の発光輝度を、装飾形成部５３及び装飾表示部３０の発光輝度よりも高め得る。これによれば、情報表示部５１と装飾表示部３０とのコントラスト比を可及的に増大させて、装飾光像に対する情報光像の浮遊感を顕著にできるので、立体感の向上に貢献可能となる。
【００４４】
（第二実施形態）
図７に示す本発明の第二実施形態は、第一実施形態の変形例である。第二実施形態の透光体２０７では、プリズム反射部７７がプリズム部材２７５に設けられる代わりに、導光反射部２７７が浮島導光部材２７１に設けられている。
【００４５】
具体的には、共通導光部としての浮島導光部材２７１の前方端部は、プリズム部材２７５の中央部を後方から貫通して、導光反射部２７７を導光出射部２７４と共に形成している。導光反射部２７７は、浮島導光部材２７１の前方端部のうち先端面に開口する円錐凹面状に形成され、外周側に向かうほど前方に傾斜している。導光出射部２７４は、浮島導光部材２７１の前方端部のうち外周面により円筒面状に形成され、前後にストレートに延伸している。
【００４６】
プリズム部材２７５において後方から浮島導光部材２７１が貫通する中央孔２７５ａには、プリズム入射部２７６が設けられている。プリズム入射部２７６は、中央孔２７５ａの内周面により円筒孔面状に形成され、前後にストレートに延伸して導光出射部２７４の外周側を周方向全域に亘って囲んでいる。また、プリズム部材２７５の前方表面においてプリズム入射部２７６を囲む外周縁部には、傾斜した前方の情報表示部５１に対向する平坦面状に、第一出射部２７８が形成されている。さらに、プリズム部材２７５の後方裏面においてプリズム入射部２７６を囲む外周縁部には、外周側に向かうほど前方に湾曲し且つ傾斜した後方の装飾形成部５３に対向する湾曲面状に、第二出射部２７９が形成されている。ここで、特に第二実施形態の第二出射部２７９には、微小な凹凸形成によりシボが付与されている。
【００４７】
以上の構成により浮島導光部材２７１は、導光本体部７３により導光された光源光を、導光反射部２７７から外周側へと略均等に反射して、導光出射部２７４から出射させる。このときプリズム部材２７５は、導光出射部２７４から出射されてプリズム入射部２７６に入射した光源光を、第一出射部２７８及び第二出射部２７９から出射する。これにより、第一出射部２７８から前方に向かって出射された光源光を受ける情報表示部５１は、当該光源光により透過照明されることで、情報光像として前方から視認可能に発光表示される。また一方、第二出射部２７９から後方に向かって出射された光源光を受ける装飾形成部５３は、当該光源光により透過照明されることで、装飾光像を形成して投影領域３５に投影する。その結果、投影領域３５に投影された装飾光像は、第一実施形態と同様の原理により、情報表示部５１の表示する情報光像周囲の虚像として、前方から視認可能に発光表示される。
【００４８】
ここで、第二実形態において上述の如き湾曲面状且つシボ付与の第二出射部２７９は、プリズム入射部２７６から導光される光源光の一部を、前方の第一出射部２７８に向けて反射する。その結果、第一出射部２７８から出射される光源光の光束密度は、第二出射部２７９から出射される光源光の光束密度よりも、確実に高く調整され得る。また、第二実施形態においても、第一実施形態と同様の原理により、情報表示部５１の表示する情報光像の発光色と、装飾表示部３０の表示する装飾光像の虚像の発光色とが、互いに異ならされている。
【００４９】
以上説明した第二実施形態によっても、第一実施形態と同様な作用効果を発揮することができる。しかも第二実施形態では、浮島導光部材２７１により後方から導光された光源光を外周側の各出射部２７８，２７９に向かって反射するために、プリズム部材２７５を後方から貫通する当該導光部材２７１に、円錐凹面状の反射部２７７が設けられている。これによれば、第一実施形態の如き円錐凹面状の反射部７７を設けないことで、プリズム部材２７５の厚さを低減しても、光源光を浮島導光部材２７１側の反射部２７７により確実に反射して、十分な光量の光源光を各出射部２７８，２７９まで到達させ得る。故に、プリズム部材２７５及び装飾形成部５３を間に挟んだ挟情報表示部５１及び装飾表示部３０の距離差自体を増大させて、光像表示の立体感をさらに向上させることが可能となる。
【００５０】
（他の実施形態）
以上、本発明による複数の実施形態について説明したが、本発明は、それら実施形態に限定して解釈されるものではなく、本発明の要旨を逸脱しない範囲内において種々の実施形態及び組み合わせに適用することができる。
【００５１】
具体的に変形例１では、透過照明可能な液晶ディスプレイパネル乃至は有機ＥＬパネル等により、情報表示部５１を形成してよい。また、変形例２では、情報表示領域３４を設けないで、投影領域３５のみを装飾表示部３０に設けてもよい。
【００５２】
変形例３では、装飾表示部３０のうち投影領域３５のみに、反射層としての反射プレート３１を設けてもよい。あるいは変形例４では、表示シート３２を設けないで、指標を直接に形成した反射プレート３１のみから、装飾表示部３０を構成してもよい。またあるいは変形例５では、反射プレート３１を設けないで、車両振動に耐え得る剛性及び強度を与えた表示シート３２のみから、装飾表示部３０を構成してもよい
変形例６では、情報表示部５１の表示する情報光像の発光色と、装飾表示部３０の表示する装飾光像の虚像の発光色とを、互いに実質同一に調整してもよい。また、変形例７では、第一出射部７８，２７８から出射される光源光の光束密度を、第二出射部７９，２７９から出射される光源光の光束密度よりも低く調整してもよい。
【００５３】
変形例８では、全体として浮島表示体５の外部後方から内部に挿入されている構造であれば、透光体７を一つ乃至は三つ以上の光学部材から構成してもよい。また、変形例９では、中央表示プレート５０を設けないで、透光層を第一出射部７８，２７８の前方表面に印刷積層等によって設けることで、当該透光層により情報表示部５１を形成してもよい。さらにまた、変形例１０では、フィルタプレート５２を設けないで、着色層を第二出射部７９，２７９の後方裏面に印刷積層等によって設けることで、当該着色層により装飾形成部５３を形成してもよい。
【００５４】
以上の他、変形例１１では、情報表示部５１及び情報表示領域３４の少なくとも一方における表示情報として、車速を表示する装置１に限らず、他の車両情報、例えばタコメータ、燃料計、及び水温計等を表示する装置にも、本発明を適用してもよい。あるいは変形例１２では、情報表示部５１及び情報表示領域３４の少なくとも一方における表示情報として、社名乃至は車名、車両情報とは関係のない目盛、照明用の模様といった加飾情報等を表示する装置にも、本発明を適用してもよい。
【符号の説明】
【００５５】
１  車両用表示装置、２  指針、３  外周表示体、４  電気ユニット、５  浮島表示体、６  カバー体、７，２０７  透光体、８  筐体、１０  スピードメータ、２０  指針、３０  装飾表示部、３１  反射プレート、３２  表示シート、３４  情報表示領域、３５  投影領域、４２  外周表示光源、４３  共通光源、５０  中央表示プレート、５１  情報表示部、５２  フィルタプレート、５３  装飾形成部、６０  カバーブラケット、７１，２７１  浮島導光部材、７５，２７５  プリズム部材、７８，２７８  第一出射部、７９，２７９  第二出射部
【図１】
2014224757.tif 000003
【図２】
2014224757.tif 000004
【図３】
2014224757.tif 000005
【図４】
2014224757.tif 000006
【図５】
2014224757.tif 000007
【図６】
2014224757.tif 000008
【図７】
2014224757.tif 000009